(57)【要約】      （修正有）【課題】シートの水漏れや引き裂きが生じにくく、テントの全面への印刷が容易な錐体型テントを提供する。【解決手段】１枚の生地であるシート部材１１と、シート部材を錐体型に支持するフレーム部材と、シート部材を地面に固定する固定部材１５と、を有する、錐体型テント。【選択図】図１
2018145759.tif 000002
【特許請求の範囲】
【請求項１】
１枚の生地であるシート部材と、
前記シート部材を錐体型に支持するフレーム部材と、
前記シート部材を地面に固定する固定部材と、
を有する、錐体型テント。
【請求項２】
前記固定部材が、前記シート部材に対して着脱自在である、請求項１に記載の錐体型テント。
【請求項３】
前記錐体型テントの少なくとも一部に、蓄光材料が含有されている、請求項１または２に記載の錐体型テント。
【請求項４】
前記フレーム部材が、２本以上の棒状体を含む、請求項１〜３のいずれかに記載の錐体型テント。
【請求項５】
前記シート部材が、２〜８つの面部を有する、請求項１〜４のいずれかに記載の錐体型テント。
【請求項６】
前記錐体型テントの頭頂点と、前記固定部材との間に辺部が形成されている、請求項１〜５のいずれかに記載の錐体型テント。
【発明の詳細な説明】
【技術分野】
【０００１】
本発明は、錐体型テントに関する。
【背景技術】
【０００２】
従来から、ナイロンなどの生地によって構成されているテントが知られている。
【０００３】
例えば、特開２００４−１１３５６号公報（特許文献１）には、「筒状のテントにおいて、空気吹き込み式支柱を筒周方向に該テントの天幕部に沿って設けることにより、簡易に折り畳んだり丸められるようにし、かつ棒状の支柱を不用にし、また、出入口部として天幕部端部の断面形状を底面とする錐体の錐面形状を利用した出入口部を設けることにより、該出入口部を上にあげれば出入りに供することができるようにして専用の出入口を不用とし、さらに、天幕・出入口部等のテントの面を構成する部材の素材として、合成樹脂シートまたはおよび不織布を使用することにより、極めて軽量な一層簡易・安価なテントを供給できるようにした」と記載されている。
また、特開２０１４−７０４６６号公報（特許文献２）には、「テント本体膜９は、上記各チューブ材２０〜２２で枠組みされたフレーム７の内部に配置されている。上記テント本体膜９は、前後方向で対面する前、後面膜３２，３３と、左右で対面する側面膜３４，３４と、上下方向で対面する屋根膜３５および床面膜３６とを備え、これら各膜３２〜３６の互いの対向縁部同士が熱溶着や、縫製、面ファスナー等により結合されて上記テント本体膜９が形成されている」と記載されている。
【先行技術文献】
【特許文献】
【０００４】
【特許文献１】特開２００４−１１３５６号公報
【特許文献２】特開２０１４−７０４６６号公報
【発明の概要】
【発明が解決しようとする課題】
【０００５】
従来のテントは、テントとしての機能を発揮できる形状とするため、複数の生地を結合して製造されたシートを、テントのシート部材として用いてきた。しかしながら、このようなテントは、生地同士の結合部分から破損が生じやすく、その結果、テントに水漏れや引き裂きの問題が発生していた。また、シートの表面に縫製による凹凸が生じる、シートを平面に広げることができないといった問題があるため、シート部材全体に１度にひとつなぎの絵柄を印刷することが困難であった。
【０００６】
上記事情に鑑み、本発明は、シートの水漏れや引き裂きが生じにくく、１度にテントの全面への印刷が容易な錐体型テントを提供することを目的とする。
【課題を解決するための手段】
【０００７】
本発明における一実施形態は、１枚の生地であるシート部材と、前記シート部材を錐体型に支持するフレーム部材と、前記シート部材を地面に固定する固定部材と、を有する、錐体型テントを提供する。
【０００８】
本発明における一実施形態は、上記錐体型テントにおいて、前記固定部材が、前記シート部材に対して着脱自在である、錐体型テントを提供する。
【０００９】
本発明における一実施形態は、上記錐体型テントにおいて、前記錐体型テントの少なくとも一部に、蓄光材料が含有されている、錐体型テントを提供する。
【００１０】
本発明における一実施形態は、上記錐体型テントにおいて、前記フレーム部材が、２本以上の棒状体を含む、錐体型テントを提供する。
【００１１】
本発明における一実施形態は、上記錐体型テントにおいて、前記シート部材が、２〜８つの面部を有する、錐体型テントを提供する。
【００１２】
本発明における一実施形態は、上記錐体型テントにおいて、前記錐体型テントの頭頂点と、前記固定部材との間に辺部が形成されている、錐体型テントを提供する。
【発明の効果】
【００１３】
本発明は、シートの水漏れや引き裂きが生じにくく、１度にテントの全面への印刷が容易な錐体型テントを提供する。
【図面の簡単な説明】
【００１４】
【図１】本発明の一実施形態における錐体型テントの構造の一例を示す斜視図である。
【図２】本発明の一実施形態における錐体型テントの構造の一例を示す平面図である。
【図３】本発明の一実施形態における錐体型テントの構造の一例を示す側面図である。
【図４】本発明の一実施形態における錐体型テントのフレーム部材の一例を示す概略図である。
【図５】本発明の一実施形態における錐体型テントのフレーム部材の一例を示す概略図である。
【図６】本発明の一実施形態における錐体型テントのフレーム部材の一例を示す概略図である。
【図７】本発明の一実施形態における錐体型テントの固定部材の一例を示す概略図である。
【図８】本発明の一実施形態における錐体型テントのシート部材と、前記シート部材に対して着脱自在である固定部材とを結合する手順を示す説明図である。
【発明を実施するための形態】
【００１５】
以下、本発明の実施の形態を図面に基づいて詳細に説明する。なお、実施の形態を説明するための全図において、同一部には原則として同一の符号を付し、その繰り返しの説明は省略する。
【００１６】
図１〜図７に示す本発明における錐体型テントの一実施形態は、１枚の生地であるシート部材１１と、前記シート部材１１を錐体型に支持するフレーム部材１３と、前記シート部材１１を地面に固定する固定部材と、を有するものである。
【００１７】
従来のテントは、テントとしての機能を発揮できる形状とするため、複数の生地を縫製などにより結合して製造されたシートを、テントのシート部材として用いてきた。しかしながら、このようなテントのシート部材１１は、生地同士の結合部分に破損が生じやすく、その破損が原因で、テントに水漏れが生じる、テントに引き裂きが起こるといった問題が生じていた。そこで、本発明における錐体型テントでは、シート部材１１に１枚の生地を用いているため、縫製などで結合されている部分が少なく、その結果、テントに水漏れや引き裂きの問題が生じにくいものである。
【００１８】
また、従来の複数の生地を縫製などにより結合して製造されたシートを、テントのシート部材１１として用いたテントでは、布の重なりや縫製によりシート部材１１の表面に凹凸が生じる、シートを平面に広げることができないという問題があるため、１度にシート部材１１全体にひとつなぎの絵柄を印刷することが困難であった。また、シート部材１１の表面に布の重なりや縫製による凹凸が生じるため、テント全体としての美観を損なうという問題が生じていた。一方、本発明における錐体型テントは、シート部材１１に１枚の生地を用いているため、布の重なりや縫製などによるシート部材表面の凹凸が少なく、シートを平面に広げることができるため、１度にひとつなぎの図柄をシート部材１１の全面に印刷することが容易である。さらに、シート部材１１の布の重なりや表面の凹凸によりテント全体の美観を損なうという問題も生じにくい。
【００１９】
また、本発明の錐体型テントの少なくとも一部に、蓄光材料を含有されている場合には、前記テントを夜間でも発見しやすいものとすることができる。
【００２０】
本発明の錐体型テントの一実施形態として、錐体型テント１０の例を図１〜図３に示す。前記錐体型テント１０は、フレーム部材１３によって支えられているシート部材１１の一部が、固定部材１５により地面と固定されることにより、八角錐の形状を保持している。また、前記錐体型テント１０は、底面の八角形の頂点の１つと頭頂点とを結ぶ辺上にファスナー１７が設けられており、前記錐体型テント１０の出入口を形成している。
＜シート部材＞
本発明の錐体型テント１０は、１枚の生地であるシート部材１１を有する。前記シート部材１１は、雨や風からテント内部を保護し、テント内部の温度を調節する役割を有する。
【００２１】
シート部材１１は、展開した状態で、扇形状であり、８つの面部を有する。また、８つある面部は、それぞれ２つの辺部（長手方向に延びる辺部）と１つの底辺部（短手方向に延びる底辺部）と、を有する。各面部の形状は、二等辺三角形状であり、各底辺部の長さは、それぞれ独立に０．５ｍ以上５ｍ以下であり、好ましくは、０．８ｍ以上２ｍ以下である。底辺部は、直線であっても、曲線であってもよい。また、辺部の長さは、１ｍ以上５ｍ以下であり、好ましくは１ｍ以上３ｍ以下である。シート部材１１の厚さは、０．１ｍｍ以上５ｍｍ以下であるが、好ましくは０．２ｍｍ以上３ｍｍ以下である。
【００２２】
各辺部は、フレーム部材１３によって、錐体型テント１０が支持された状態で、固定部材１５を地面に接続することで、底辺部が固定されることで形成される。すなわち、各辺部は、固定部材１５によって、テントの頭頂点から地面に向けて引っ張られることで形成される。
【００２３】
ここで、１枚の生地とは、複数の生地を縫い合わせたり、複数の生地を重ね合わせたりしたものではないことを示す。当該生地の素材としては、特に制限されないが、例えば、ビニール、ポリエチレン、ポリプロピレンなどの合成素材や、動物の毛、皮、植物などの天然素材が挙げられる。前記シート部材１１における生地の素材としては、防水性や耐久性、印刷の容易性などの点から、合成素材であることが好ましい。
【００２４】
シート部材１１は、展開することで１つの平面に広げることができるため、小さく折りたたむことが容易であり、携帯性に優れる。例えば、８つの二等辺三角形の面部を有するシート部材１１は、扇形状の中心にある辺部を中心に左右対称に折り曲げ、左右それぞれの４つの面部をお互いに重ね合わせる。その後、同様に扇形状の中心にある辺部を中心にシート部材１１を左右対称に折り曲げ、左右それぞれの２つの面部をお互いに重ね合わせる。その後、さらに同様に２つの面部の中心にある辺部を中心にシート部材１１を左右対称に折り曲げ、２つの面部をお互いに重ね合わせる。そして、三角形状となったシート部材１１を、頭頂点と底辺部との中心部付近で折り曲げることで、小さく折りたたむことが可能である。
【００２５】
前記シート部材１１は、扇形状の大骨となる辺部にファスナー１７が設けられており、ファスナー１７を開閉することにより、テントの出入口として利用することができる。前記ファスナー１７は、線ファスナーであっても面ファスナーであってもよいが、耐久性の点から、線ファスナーであることが好ましい。
【００２６】
前記シート部材１１は、上述したように、１度に全面にひとつなぎの図柄を印刷することが容易であり、布の重なりや表面の凹凸によりテント全体の美観を損なうという問題も生じにくいことから、前記シート部材１１は、その全面に広告を印刷するために好適に用いることができる。
【００２７】
なお、シート部材１１は、８つの面部でなく、２〜７つの二等辺三角形の面部から構成されるようにしても良い。また、面部の形状は、三角形状であれば良い。
【００２８】
また、シート部材１１は、１つの面部のみから構成されるようにしても良い。この場合、各面部の形状は、固定部材１５によって、底辺部が固定される位置によって変更可能である。具体的には、面部を構成する一方の辺部は頂点から一方の固定部材１５までの間に形成され、他方の辺部は頂点から他方の固定部材１５までの間に形成され、底辺部は一方の固定部材１５から他方の固定部材１５までの間に形成される。
＜フレーム部材＞
本発明の錐体型テント１０は、テントを錐体型に支持するためのフレーム部材１３を有する。錐体型は、雨や風の影響を受けにくい構造であるため、前記フレーム部材１３が前記テントを錐体型に支持することによって、本発明の錐体型テント１０は、高い防水性と防風性を発揮することができる。また、前記テントが錐体型となることによって、テントのシート部材１１に全面印刷が施されている場合に、テントを側面から見た場合でも、美観に優れるテントとすることができる。
【００２９】
テントを錐体型に支持す機能を発揮することができれば、前記フレーム部材１３の形状は制限されないが、例えば、図４に示すように、１本の柱状体としてテントの中心部にフレーム部材１３を配置する方法や、図５および図６に示すように、複数の棒状体であるフレーム部材１３を辺部のいずれかに沿って配置する方法などが挙げられる。
【００３０】
図４に示す柱状体のフレーム部材１３は、錐体型テント１０の頭頂点に柱形状のフレーム部材１３の一端が固定され、他の一端が地面に固定され、鉛直方向に配置されている。また、柱状体のフレーム部材１３の一端を錐体型テントの頭頂点に固定する方法としては、特に制限されないが、シート部材１１の重量がフレーム部材１３を地面に押し付ける力や、シート部材１１とフレーム部材１３との摩擦力を利用して他の部材を用いずに固定する方法や、シート部材１１の頭頂点に設けられたひもなどの固定具を用いてフレーム部材１３を接続して固定する方法や、シート部材１１の頭頂点および柱状体のフレーム部材１３の一端にそれぞれ対応する一対の固定具をあらかじめ設けておき、前記一対の固定具を相互に接続することで固定する方法などが挙げられる。さらに、柱状体のフレーム部材１３の地面に固定される一端においては、錐体型テント１０の安定性を増すために地面とフレーム部材１３の接触面積を増やす点から、皿状の地面との接触部をさらに設けることが好ましい。
【００３１】
図４における柱状体であるフレーム部材１３を用いる場合には、前記柱状体は、回転対称性を有する柱状体であれば特に制限されず、円柱であっても角柱であってもよい。また、軽量化の点から内部が中空であることが好ましい。さらに、前記柱状体の長さは、０．５ｍ以上３ｍ以下であり、好ましくは、０．８ｍ以上２ｍ以下である。また、前記柱状体の直径は、皿状の地面との接触部を除いて最も太い部分で計測した場合に、１ｃｍ以上２０ｃｍ以下であり、好ましくは１．５ｃｍ以上１０ｃｍ以下であり、さらに好ましくは２ｃｍ以上５ｃｍ以下である。さらに、前記柱状体は、携帯性の点や地形に合わせてテントを張れる点から、１．５ｍ以下の長さまで縮むことができることが好ましく、１ｍ以下の長さまで縮むことができることがさらに好ましい。
【００３２】
図５および図６に示す複数の棒状体のフレーム部材１３は、一端が地面に固定され、他の一端が頭頂点に固定され、全体がシート部材１１の辺部に沿って配置されている棒状体を複数組み合わせたものである。前記複数の棒状体のフレーム部材１３を頭頂点に固定する方法としては、フレーム部材１３が柱状体である場合と同様の上述した方法を取ることができるが、シート部材１１とフレーム部材１３とをより強固に固定する点から、シート部材１１の辺部においても、ひもなどの固定具を用いてシート部材１１とフレーム部材１３を接続することが好ましい。各棒状体の鉛直方向に対する角度としては、特に制限されないが、通常は４０度以上８０度以下であり、好ましくは４０度以上６０度以下である。フレーム部材１３のシート部材１１の頭頂点に固定される部位は、各棒状体のそれぞれの一端があらかじめ接続されているものであってもよく、テントの組立時に各棒状体の一端を接続するものであってもよいが、各棒状体のそれぞれの一端があらかじめ接続されているものである場合には、フレーム部材１３を折りたたんで携帯性を高める点から、各棒状体の一端が接続されている点を支点として、他の一端が振り子運動する方向に、各棒状体が回転できることが好ましい。上述したように各棒状体が振り子運動できる場合には、テントの組立時に、各棒状体の鉛直方向に対する角度を所定の角度に固定する必要がある。鉛直方向に対する各棒状体の角度を固定する方法としては、特に制限されないが、例えば１つの棒状の固定具を用いて、シート部１１の等辺上に配置された各棒状体の中心よりも支点に近い任意の位置に、前記棒状の固定具の両端を連結させることで固定する方法が挙げられる。
【００３３】
図５および図６に示す複数の棒状体の形状は、回転対称性を有する棒形状であれば特に制限されず、円柱であっても角柱であってもよい。また、軽量化の点から内部が中空であることが好ましい。さらに、前記各棒状体の長さは、１ｍ以上５ｍ以下であり、好ましくは１ｍ以上３ｍ以下である。また、前記各棒状体の直径は、最も太い部分で計測した場合に、１ｃｍ以上２０ｃｍ以下であり、好ましくは１．５ｃｍ以上１０ｃｍ以下であり、さらに好ましくは２ｃｍ以上５ｃｍ以下である。さらに、前記各棒状体は、携帯性の点や地形に合わせてテントを張れる点から、１．５ｍ以下の長さまで縮むことができることが好ましく、１ｍ以下の長さまで縮むことができることがさらに好ましい。
【００３４】
フレーム部材１３の材料としては、特に制限されないが、例えば金属、樹脂などが上げられ、重量が軽く携帯性に優れる点から、樹脂であることが好ましい。
＜固定部材＞
本発明における錐体型テント１０は、テント全体を固定するために、前記シート部材１１を地面に固定する固定部材１５を有する。前記固定部材１５の形状は、特に制限されないが、典型的には、図７に示すように、シート部材１１と予め接続されているペグループ１７と呼ばれる輪、およびペグ１９と呼ばれる杭を有するものである。図７に示す形状の固定部材１５では、ペグ１９を、ペグループ１７を通して地面に突き刺すことにより、テントを地面に固定する。
【００３５】
前記固定部材１５に用いる材料は、特に制限されないが、金属、樹脂などを用いることができ、携帯性の観点から樹脂であることが好ましい。また、本発明の錐体型テント１０は、固定部材１５に蓄光材料を含有させることにより、夜間でも発見しやすいテントとすることができる。
【００３６】
また、固定部材１５とシート部材１１との接続方法も特に制限されないが、本発明における錐体型テント１０は、接着剤を用いたり縫製したりして予め接続しておく方法の他に、着脱自在な接続器具を使用して適宜接続する方法を取ることもできる。前記着脱自在な接続器具を使用することで、錐体型テントの組み立てが容易になり、さらに地形に応じてシート部材１１を固定する位置を変更することができる。
【００３７】
着脱自在な接続器具を用いて固定部材１５とシート部材１１とを接続し、固定部材１５に蓄光材料を用いることは、テントを張る場所や環境に応じて、より発見しやすい場所に夜間に光る固定部材１５を配置することができるため、夜間でもテントの場所をより発見しやすくなるという点から好ましい。
【００３８】
固定部材１５をシート部材１１に対して着脱自在とする場合の一例を図８に示す。皿３３をシート部材１１の一部で包み、前記シート部材１１の一部をナット３５の間に通す。その後、前記ナット３５にボルト３１を接続することにより、固定部材１５をシート部材１１の所望の位置に固定することができる。これにより、テントを張る地形に応じて、固定部材１５をシート部材１１に固定する位置を調整することができる。また、上述した長さや角度を適宜調整できるフレーム部材１３と、シート部材１１に対して着脱自在な固定部材１５を組み合わせて用いることで、より多彩な地形に応じてテントを張ることができる。
【００３９】
＜実施の形態の効果＞
本発明における一実施形態は、１枚の生地であるシート部材と、前記シート部材を錐体型に支持するフレーム部材と、前記シート部材を地面に固定する固定部材と、を有する、錐体型テントである。本実施形態における錐体型テントは、シートの水漏れや引き裂きが生じにくく、１度にテントの全面への印刷が容易であり、テント全体としての美観を損なうという問題が生じにくい。
【００４０】
本発明における一実施形態は、上記錐体型テントにおいて、前記固定部材が、前記シート部材に対して着脱自在である、錐体型テントである。そのため、本実施形態における錐体型テントは、上述した錐体型テントと同様の効果に加えて、テントの組み立てが容易であり、地形に応じてテントを組み立てることができるという効果を有する。
【００４１】
本発明における一実施形態は、上記錐体型テントにおいて、前記錐体型テントの少なくとも一部に、蓄光材料が含有されている、錐体型テントである。そのため、本実施形態における錐体型テントは、上述した錐体型テントと同様の効果に加えて、夜間にテントを発見しやすいという効果を有する。特に、着脱自在である固定部材に蓄光材料を含有する場合には、テントを張る場所や環境に応じて、より発見しやすい場所に夜間に光る固定部材を配置することができるため、夜間でもテントの場所をより発見しやすくすることができる。
【００４２】
本発明における一実施形態は、上記錐体型テントにおいて、前記フレーム部材が、２本以上の棒状体を含む、錐体型テントである。本実施形態における錐体型テントは、フレーム部材である２本以上の棒状体が、テントの２以上の辺部と密着するため、テントの錐体型形状の保持性に優れる。
【００４３】
本発明における一実施形態は、上記錐体型テントにおいて、前記シート部材が、２〜８つの面部を有する、錐体型テントである。本実施形態における錐体型テントは、シート部材が２〜８つの面部を有することからシート部材を小さく折りたたむことが容易であるため、携帯性に優れる。
【００４４】
本発明における一実施形態は、上記錐体型テントにおいて、前記錐体型テントの頭頂点と、前記固定部材との間に辺部が形成されている、錐体型テントである。本実施形態における錐体型テントは、固定部の位置を調整することによって、テント全体の形状を調整することができることから、テントの形状を地形にあわせて適宜変更することが可能である。
【００４５】
本発明は、上記実施の形態に限定されるものではなく、その要旨を逸脱しない範囲で種々変更可能であることは言うまでもない。また、上記した実施の形態は本発明を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００４６】
１０…錐体型テント、
１１…シート部材、
１３…フレーム部材、
１５…固定部材、
１７…ファスナー、
２１…ペグループ、
２３…ペグ、
３１…ボルト、
３３…皿、
３５…ナット。
【図１】
2018145759.tif 000003
【図２】
2018145759.tif 000004
【図３】
2018145759.tif 000005
【図４】
2018145759.tif 000006
【図５】
2018145759.tif 000007
【図６】
2018145759.tif 000008
【図７】
2018145759.tif 000009
【図８】
2018145759.tif 000010
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
１枚の生地であるシート部材と、
前記シート部材を錐体型に支持するフレーム部材と、
前記シート部材を地面に固定する固定部材と、
を有し、
前記固定部材は、
ナットと、ボルトとを有し、
前記シート部材の一部を前記ナットの間に通し、前記ナットに前記ボルトを接続することにより、前記固定部材をシート部材の所望の位置に着脱自在に固定する、
錐体型テント。
【請求項２】
前記錐体型テントの少なくとも一部に、蓄光材料が含有されている、請求項１に記載の錐体型テント。
【請求項３】
前記フレーム部材が、２本以上の棒状体を含む、請求項１または２に記載の錐体型テント。
【請求項４】
前記シート部材が、３〜８つの面部を有する、請求項１〜３のいずれかに記載の錐体型テント。
【請求項５】
前記錐体型テントの頭頂点と、前記固定部材との間に辺部が形成されている、請求項１〜４のいずれかに記載の錐体型テント。
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
１枚の生地であるシート部材と、
前記シート部材を錐体型に支持するフレーム部材と、
前記シート部材を地面に固定する固定部材と、
を有し、
前記固定部材は、
ナットと、ボルトとを有し、
前記シート部材の一部を前記ナットの間に通し、前記ナットに前記ボルトを接続することにより、前記固定部材をシート部材の所望の位置に着脱自在に固定し、
前記シート部材は、
展開した状態で扇形状であり、ひとつなぎの図柄が印刷され、前記扇形状の大骨となる辺部にファスナーが設けられている、
錐体型テント。
【請求項２】
前記錐体型テントの少なくとも一部に、蓄光材料が含有されている、請求項１に記載の錐体型テント。
【請求項３】
前記フレーム部材が、２本以上の棒状体を含む、請求項１または２に記載の錐体型テント。
【請求項４】
前記シート部材が、３〜８つの面部を有する、請求項１〜３のいずれかに記載の錐体型テント。
【請求項５】
前記錐体型テントの頭頂点と、前記固定部材との間に辺部が形成されている、請求項１〜４のいずれかに記載の錐体型テント。